(57)【特許請求の範囲】
【請求項１】
フリップを備えた携帯電話装置であって、
無線基地局と送受信を行う無線回路部と、
前記無線回路部を制御する無線制御回路部と、
前記フリップの開閉状態を検出するフリップ状態検出回路と、
前記フリップの閉から開への変化によりカウントを開始するタイマとを有し、
前記無線制御回路部は、前記フリップが閉から開へ変化して、所定の時間以内はいずれかのキーの操作で着信に応答でき、前記所定の時間を経過すると予め決められた特定のキーの操作で着信に応答できるように応答方法を変更することを特徴とする携帯電話装置。
【請求項２】
筐体に出し入れ自在に伸縮するアンテナを備えた携帯電話装置であって、無線基地局と送受信を行う無線回路部と、
前記無線回路部を制御する無線制御回路部と、
前記アンテナの伸縮状態を検出するアンテナ状態検出手段と、
前記アンテナの収納状態から伸長状態への変化によりカウントを開始するタイマとを有し、
前記無線制御回路部は、前記アンテナが収納状態から伸長状態へ変化して、所定の時間以内はいずれかのキーの操作で着信に応答でき、前記所定の時間を経過すると予め決められた特定のキーの操作で着信に応答できるように応答方法を変更することを特徴とする携帯電話装置。
【請求項３】
前記特定のキーは、通話キーである請求項１あるいは２記載の携帯電話装置。
【発明の詳細な説明】
【０００１】
【発明の属する技術分野】
本発明は、無線を利用した携帯電話装置およびその携帯電話装置における応答方法の変更方法に関するものである。
【０００２】
【従来の技術】
近年、無線を利用した携帯電話装置の普及に伴い、その操作性の向上が要求されるようになってきている。
【０００３】
従来、この種の携帯電話装置は、無線基地局からの着信信号を受信すると、携帯電話装置の操作者があらかじめ決められた或る特定の操作をすることによって通話状態へ移行していた。
【０００４】
【発明が解決しようとする課題】
しかしながら、無線を利用した従来の携帯電話装置においては、無線通信状態によってしばしば通話中に回線が切断される場合があるという問題点を有している。例えば、移動中で無線基地局からの電波状態が弱くなったり又は悪くなったりした場合や、移動中でなくとも無線基地局の境界付近での電波の弱い場合など、様々なケースにおいて切断される。その時、通話相手から再度着信した場合、携帯電話装置の操作者は再度あらかじめ決められた或る特定の操作を行わなければならない。
【０００５】
この携帯電話装置および応答方法の変更方法では、着信応答操作の煩雑さを回避することが要求されている。
【０００６】
本発明は、着信応答操作の煩雑さを回避することができる携帯電話装置および着信応答操作の煩雑さを回避するための応答方法の変更方法を提供することを目的とする。
【０００７】
【課題を解決するための手段】
上記課題を解決するために本発明の携帯電話装置は、フリップを備えた携帯電話装置であって、無線基地局と送受信を行う無線回路部と、無線回路部を制御する無線制御回路部と、フリップの開閉状態を検出するフリップ状態検出回路とを有し、無線制御回路部は、フリップ状態検出回路における検出結果に基づいてフリップが開いていると判別したときは、着信に応答するための応答方法を変更する構成を備えている。
【０００８】
これにより、着信応答操作の煩雑さを回避することができる携帯電話装置が得られる。
【０００９】
上記課題を解決するために本発明の応答方法の変更方法は、フリップを備えた携帯電話装置における応答方法の変更方法であって、フリップの開閉状態を判別し、フリップが開いていると判別したときは着信に応答するための応答方法を変更する構成を備えている。
【００１０】
これにより、着信応答操作の煩雑さを回避するための応答方法の変更方法が得られる。
【００１１】
【発明の実施の形態】
本発明の請求項１に記載の発明は、フリップを備えた携帯電話装置であって、無線基地局と送受信を行う無線回路部と、無線回路部を制御する無線制御回路部と、フリップの開閉状態を検出するフリップ状態検出回路と、フリップの閉から開への変化によりカウントを開始するタイマとを有し、無線制御回路部は、フリップが閉から開へ変化して、所定の時間以内は複数のキーのいずれかの操作で着信に応答でき、所定の時間を経過すると予め決められた特定のキーの操作で着信に応答できるように応答方法を変更することとしたものである。
【００１２】
この構成により、変更された応答方法を設定時間により解除するためのタイマを備えたことにより、変更された応答方法が維持されることがなくなるので、無意識にフリップを開いた場合の誤って所望しない着信に応答することを防止することができる。
【００１３】
本発明の請求項２に記載の発明は、筐体に出し入れ自在に伸縮するアンテナを備えた携帯電話装置であって、無線基地局と送受信を行う無線回路部と、無線回路部を制御する無線制御回路部と、アンテナの伸縮状態を検出するアンテナ状態検出手段と、アンテナの収納状態から伸長状態への変化によりカウントを開始するタイマとを有し、無線制御回路部は、アンテナが収納状態から伸長状態へ変化して、所定の時間以内は複数キーのいずれかの操作で着信に応答でき、所定の時間を経過すると予め決められた特定のキーの操作で着信に応答できるように応答方法を変更することとしたものである。
【００１４】
この構成により、変更された応答方法を設定時間により解除するためのタイマを備えたことにより、変更された応答方法が維持されることがなくなるので、無意識にアンテナを伸ばした場合の誤って所望しない着信に応答することを防止することができる。
【００１５】
本発明の請求項３に記載の発明は、所定のキーを、通話キーとしたことを特徴としたものであります。
【００４３】
以下、本発明の実施の形態について、図１〜図５を用いて説明する。
【００４４】
（実施の形態１）
図１は本発明の実施の形態１による携帯電話装置を示すブロック図である。
【００４５】
図１において、１は後述のアンテナ８からの受信信号を後段へ結合するアンテナ結合部、２はアンテナ結合部から出力される受信信号を復調する無線回路部、３は全体を制御する無線制御回路部、４２はフリップ４１の状態を検出するフリップ状態検出回路、５はスピーカ、リンガ、バイブ等によって構成される着信報知回路、６はスピーカ、マイク、アンプ等によって構成される音声制御回路部、８は電波信号を受信して受信信号として出力するアンテナである。
【００４６】
このように構成された携帯電話装置について、その動作を説明する。
【００４７】
図１において、アンテナ８において無線基地局（図示せず）からの電波信号を受ける。アンテナ８は、ベタパターン等のアンテナ結合部１を介して、無線基地局からの電波信号を受信信号として無線回路部２に供給する。無線回路部２は、アンテナ結合部１からの受信信号を復調し、この復調信号を無線制御回路部３に供給する。無線制御回路部３は、無線回路部２からの復調信号を復号化し、この復号化信号の意味を判別する。この時、復号化信号が着信信号であった場合、プロトコルにのっとった一連の処理後、無線制御回路部３は、着信報知回路５を制御して携帯電話装置の操作者に着信を報知すると共に、フリップ状態検出回路４２の状態をモニタし、フリップ４１の開閉を知る。このフリップ状態検出回路４２は、機構的なスイッチまたは光学的なスイッチでもよく、フリップ４１が閉じている状態か開いている状態かを無線制御回路部３へ伝達できる機能を有すればよい。また、無線制御回路部３がフリップ状態検出回路４２の状態をモニタするタイミングはいつでも構わず、常にモニタしていても構わない。
【００４８】
無線制御回路部３がフリップ状態検出回路４２の状態をモニタした時に、フリップ４１の開いている状態が検出された場合、またはフリップ４１の開口状態への移行が検出された場合、無線制御回路部３は、応答方法に関し、通話キー押下等のあらかじめ決められたある特定操作による応答から全キー押下による応答へ変更する。この応答方法の変更は、何らかの操作を必要とする手動応答モードから何らの操作も必要としない自動応答モードへの変更など、操作性を向上させるものであれば何でも構わない。また、或る時間が設定時間として設定されたタイマにより変更応答方法を解除できる方が、無意識にフリップ４１を開いた場合の問題を回避することができる。応答方法として、通話キー等のあらかじめ決められたある特定操作による応答から全キー押下による応答へ変更されたため、携帯電話装置の操作者は一番容易に押下できるキーを押下する。それによって、無線制御回路部３は、無線回路部２へ着信応答信号を供給し、更に音声制御回路部６を起動して通話状態へスムーズに移行することができる。
【００４９】
以上のように本実施の形態によれば、無線基地局と送受信を行う無線回路部２と、無線回路部２を制御する無線制御回路部３と、フリップ４１の開閉状態を検出するフリップ状態検出回路４２とを有し、無線制御回路部３は、フリップ４１が開いていると判別したときは、着信に応答するための応答方法を変更するようにしたことにより、フリップ４１を開きさえすれば応答方法を変更することができるので、従来のような着信応答操作の煩雑さを回避することができる。また、変更された応答方法を設定時間により解除するためのタイマを備えたことにより、変更された応答方法が維持されることがなくなるので、誤って所望しない着信に応答することを防止することができる。さらに、無線制御回路部３は、着信に応答するための応答方法の変更として、あらかじめ決められた特定のキー押下による応答からあらかじめ決められた複数のキー押下による応答へ変更するようにしたことにより、最も操作しやすいキーを押下しさえすれば応答方法を変更することができる。さらに、無線制御回路部３は、着信に応答するための応答方法の変更として、何らかの操作を必要とする手動応答から何らの操作も必要としない自動応答へ変更するようにしたことにより、操作者は、何らの操作をすることなく、着信に応答することができる。
【００５０】
（実施の形態２）
図２は本発明の実施の形態２による携帯電話装置を示すブロック図である。
【００５１】
図２において、アンテナ結合部１、無線回路部２、着信報知回路５、音声制御回路部６は図１と同様のものであるので、同一符号を付し、説明は省略する。３ａは無線回路２、音声制御回路部６等を制御する無線制御回路部、９は無線基地局からの電波信号を受信して受信信号として出力すると共に筐体（図示せず）に出し入れ自在に伸縮するアンテナ、１０はアンテナ９の伸縮状態を検出するアンテナ伸縮状態検出回路である。
【００５２】
このように構成された携帯電話装置について、その動作を説明する。
【００５３】
図２において、アンテナ９は、無線基地局と電波信号の送受を行うアンテナであり、このアンテナ９はロッドアンテナ等の伸縮自在なものである。アンテナ伸縮状態検出回路１０は、アンテナ９の伸長状態および収納状態（伸縮状態）を検出する。このアンテナ伸縮状態検出回路１０は、機構的なスイッチまたは光学的なスイッチでもよい。無線回路部２は、アンテナ結合部１から出力される電波信号としての受信信号を復調したり、逆にアンテナ結合部１へ出力する信号を変調する。無線制御回路部３ａは、無線回路部２の制御を行い、無線回路部２からの復調信号を復号化または信号を符号化して無線回路部２に出力すると共に、アンテナ伸縮状態検出回路１０、着信報知回路５、音声制御回路部６を制御する。着信報知回路５は、携帯電話装置の操作者に着信を報知する。音声制御回路部６は、無線制御回路部３ａが復号化した信号を音として例えばスピーカから再生し、無線制御回路部３ａへ符号化する音声信号を例えばマイクから供給する。
【００５４】
以上のように本実施の形態によれば、伸縮自在のアンテナ９とアンテナ伸縮状態検出回路１０を備えたことにより、着信応答動作は実施の形態１と同様であり、フリップ状態検出回路４２とアンテナ伸縮状態検出回路１０とが異なるだけである。すなわち、アンテナ９を伸ばしさえすれば応答方法を簡単な方法に変更することができるので、従来のような着信応答操作の煩雑さを回避することができる。
【００５５】
（実施の形態３）
図３は本発明の実施の形態３による携帯電話装置を示すブロック図である。
【００５６】
図３において、アンテナ結合部１、無線回路部２、フリップ状態検出回路４２、フリップ４１、着信報知回路５、音声制御回路部６、アンテナ９は図１と同様のものであるので、同一符号を付し、説明は省略する。３ｂは無線制御回路部、７ａはイヤホンジャック、７ｂはプラグ検出回路である。
【００５７】
このように構成された携帯電話装置について、その動作を説明する。
【００５８】
図３において、アンテナ９は電波信号としての受信信号をアンテナ結合部１を介して無線回路部２に供給する。無線回路部２は、アンテナ９からの受信信号を復調し、この復調信号を無線制御回路部３ｂに供給する。無線制御回路部３ｂは、無線回路部２からの復調信号を復号化し、その復号化信号の意味を判別する。この時、受信信号が着信信号であった場合、プロトコルにのっとった一連の処理後、無線制御回路部３ｂは、着信報知回路５を制御して携帯電話装置の操作者に着信を報知すると共に、フリップ４１の開閉状態をフリップ状態検出回路４２によりモニタし、イヤホンジャック７ａにプラグが装着されているか否かをプラグ検出回路７ｂによりモニタする。このフリップ状態検出回路４２及びプラグ検出回路７ｂは、機構的なスイッチまたは光学的なスイッチでもよく、フリップ４１の開閉状態及びイヤホンジャック７ａへのプラグ装着の有無を無線制御回路部３ｂに伝達する機能を有する。また、無線制御回路部３ｂがフリップ状態検出回路４２及びプラグ状態検出回路７ｂをモニタするタイミングはいつでもよく、常にモニタしていても構わない。
【００５９】
無線制御回路部３ｂがフリップ状態検出回路４２とプラグ検出回路７ｂをモニタした時に、フリップ４１の開いている状態またはフリップ４１の開口状態への移行を検出すると共にプラグ装着状態またはプラグ装着状態への移行を検出した場合、無線制御回路部３ｂは、応答方法として、通話キー押下等の特定キー押下のあらかじめ決められたある特定操作による応答から全キー押下による応答へ変更する。この応答方法の変更は何らかの操作を必要とする手動応答モードから何らの操作も必要としない自動応答モードへの変更など、操作性を向上させるものであれば何でも構わない。
【００６０】
また、或る時間が設定時間として設定されたタイマにより変更応答方法を解除できる方が、無意識にフリップ４１を開いた場合の問題を回避することができる。応答方法として、通話キー等のあらかじめ決められたある特定操作による応答から全キー押下による応答へ変更されたため、携帯電話装置の操作者は一番容易に押下できるキーを押下する。それによって、無線制御回路部３ｂは、無線回路部２へ着信応答信号を供給し、更に音声制御回路部６を起動して通話状態へスムーズに移行することができる。
【００６１】
以上のように本実施の形態によれば、無線基地局と送受信を行う無線回路部２と、無線回路部２を制御する無線制御回路部３ｂと、フリップ４１の開閉状態を検出するフリップ状態検出回路４２と、イヤホンジャック７ａへのプラグの装着状態を検出するプラグ検出回路７ｂとを有し、無線制御回路部３ｂは、フリップ４１が開いていると共にプラグが装着されていると判別したときは、着信に応答するための応答方法を変更するようにしたことにより、フリップ４１を開きかつプラグをイヤホンジャック７ａに装着しさえすれば応答方法を簡単な方法へ変更することができるので、従来のような着信応答操作の煩雑さを回避することができる。
【００６２】
（実施の形態４）
図４は本発明の実施の形態４による携帯電話装置を示すブロック図である。
【００６３】
図４において、アンテナ結合部１、無線回路部２、着信報知回路５、音声制御回路部６、イヤホンジャック７ａ、プラグ検出回路７ｂ、アンテナ９、アンテナ伸縮状態検出回路１０は、図２、図３と同様のものであるので、同一符号を付し、説明は省略する。３ｃは無線制御回路部である。
【００６４】
このように構成された携帯電話装置について、その動作を説明する。
【００６５】
図４において、無線回路部２は、アンテナ結合部１からの受信信号を復調したり、逆に信号を変調してアンテナ結合部１に電波信号を出力する。無線制御回路部３ｃは、無線回路部２を制御したり、無線回路部２との間で復号化または符号化を行ったり、更にはアンテナ伸縮状態検出回路１０、着信報知回路５、音声制御回路部６を制御する。着信報知回路５は、携帯電話装置の操作者に着信を報知する。音声制御回路部６は、無線制御回路部３ｃが復号化した信号を音として例えばスピーカから再生し、無線制御回路部３ｃへ符号化する音声信号を例えばマイクから供給する。プラグ検出回路７ｂは、イヤホンジャック７ａにプラグが装着されているかを検出する。このプラグ検出回路７ｂは無線回路制御部３ｃにプラグ装着の信号を伝達する機能を有している。また、プラグ検出方法としては、機構的、光学的及び電気的でも構わないが、通常はトランジスタ等を利用した電気的なスイッチが利用される。
【００６６】
以上のように本実施の形態によれば、伸縮自在のアンテナ９、アンテナ伸縮状態検出回路１０、イヤホンジャック７ａ及びプラグ検出回路７ｂを備えたことにより、着信応答動作については、実施の形態３で述べた着信応答動作とで同様であり、フリップ状態検出回路４２とアンテナ伸縮状態検出回路１０が異なるだけである。すなわち、本実施の形態では、無線基地局と送受信を行う無線回路部２と、無線回路部２を制御する無線制御回路部３ｃと、アンテナの伸縮状態を検出するアンテナ伸縮状態検出回路１０と、イヤホンジャック７ａへのプラグの装着状態を検出するプラグ検出回路７ｂとを有し、無線制御回路部３ｃは、アンテナ９が伸びていると共にプラグが装着されていると判別したときは、着信に応答するための応答方法を変更するようにしたことにより、アンテナ９を伸ばしかつプラグをイヤホンジャック７ａに装着しさえすれば応答方法を簡単な方法に変更することができるので、従来のような着信応答操作の煩雑さを回避することができる。
【００６７】
（実施の形態５）
図５は本発明の実施の形態５による携帯電話装置を示すブロック図である。
【００６８】
図５において、アンテナ結合部１、無線回路部２、フリップ状態検出回路４２、フリップ４１、着信報知回路５、音声制御回路部６、アンテナ９、アンテナ伸縮状態検出回路１０は、図１、図２と同様のものであるので、同一符号を付し、説明は省略する。３ｄは無線制御回路部である。
【００６９】
このように構成された携帯電話装置について、その動作を説明する。
【００７０】
図５において、アンテナ９はロッドアンテナ等の伸縮自在なものであり、アンテナ伸縮状態検出回路１０は、アンテナ９の伸長状態および収納状態を検出する。アンテナ伸縮状態検出回路１０は、機構的なスイッチまたは光学的なスイッチでもよい。無線回路部２は、アンテナ結合部１からの電波信号、アンテナ結合部１への信号を復調したり、変調したりする。無線制御回路部３ｄは、無線回路部２の制御を行ったり、無線回路部２との間で信号の復号化または符号化を行い、更にはアンテナ伸縮状態検出回路１０、フリップ状態検出回路４２、着信報知回路５、音声制御回路部６を制御する。フリップ状態検出回路４２は、フリップ４１が開いているか閉じているかを検出する。フリップ検出回路４２は機構的なスイッチまたは光学的なスイッチでもよい。着信報知回路５は、携帯電話装置の操作者に着信を報知する。音声制御回路部６は、無線制御回路部３ｄが復号化した信号を音として再生し、また無線制御回路部３ｄへ符号化する音声信号をマイクから供給する。
【００７１】
以上のように本実施の形態によれば、開閉自在のフリップ４１、フリップ状態検出回路４２、アンテナ９及びアンテナ伸縮状態検出回路１０を備えたことにより、着信応答動作については、実施の形態３で述べた着信応答動作と同様で、プラグ検出回路７ｂとアンテナ伸縮状態検出回路１０とが異なるだけであるため。すなわち、本実施の形態では、無線基地局と送受信を行う無線回路部２と、無線回路部２を制御する無線制御回路部３ｄと、フリップ４１の開閉状態を検出するフリップ状態検出回路４２と、アンテナ９の伸縮状態を検出するアンテナ伸縮状態検出回路１０とを有し、フリップ４１が開いていると共にアンテナ９が伸びていると判別したときは、着信に応答するための応答方法を変更するようにしたことにより、フリップ４１を開きかつアンテナ９を伸ばしさえすれば応答方法を簡単な方法に変更することができるので、従来のような着信応答操作の煩雑さを回避することができる。
【００７２】
【発明の効果】
以上説明したように本発明の請求項１に記載の携帯電話装置によれば、フリップを備えた携帯電話装置であって、無線基地局と送受信を行う無線回路部と、無線回路部を制御する無線制御回路部と、フリップの開閉状態を検出するフリップ状態検出回路と、フリップの閉から開への変化によりカウントを開始するタイマとを有し、無線制御回路部は、フリップが閉から開へ変化して、所定の時間以内はいずれかのキーの操作で着信に応答でき、前記所定の時間を経過すると予め決められた特定のキーの操作で着信に応答できるように応答方法を変更することにより、最も操作しやすいキーを押下するという簡単な応答方法に変更することができる。さらに、変更された応答方法を設定時間により解除するためのタイマを備えたことにより、変更された応答方法が維持されることがなくなるので、誤って所望しない着信に応答することを防止することができるという有利な効果が得られる。
【００７３】
請求項２に記載の携帯電話装置によれば、筐体に出し入れ自在に伸縮するアンテナを備えた携帯電話装置であって、無線基地局と送受信を行う無線回路部と、無線回路部を制御する無線制御回路部と、アンテナの伸縮状態を検出するアンテナ状態検出手段と、アンテナの収納状態から伸長状態への変化によりカウントを開始するタイマとを有し、無線制御回路部は、アンテナが収納状態から伸長状態へ変化して、所定の時間以内はいずれかのキーの操作で着信に応答でき、前記所定の時間を経過すると予め決められた特定のキーの操作で着信に応答できるように応答方法を変更することにより、最も操作しやすいキーを押下するという簡単な応答方法に変更することができる。さらに、変更された応答方法を設定時間により解除するためのタイマを備えたことにより、変更された応答方法が維持されることがなくなるので、誤って所望しない着信に応答することを防止することができると
いう有利な効果が得られる。
【図面の簡単な説明】
【図１】本発明の実施の形態１による携帯電話装置を示すブロック図
【図２】本発明の実施の形態２による携帯電話装置を示すブロック図
【図３】本発明の実施の形態３による携帯電話装置を示すブロック図
【図４】本発明の実施の形態４による携帯電話装置を示すブロック図
【図５】本発明の実施の形態５による携帯電話装置を示すブロック図
【符号の説明】
１  アンテナ結合部
２  無線回路部
３，３，３ｂ，３ｃ，３ｄ  無線制御回路部
４１  フリップ
４２  フリップ状態検出回路
５  着信報知回路
６  音声制御回路部
７ａ  イヤホンジャック
７ｂ  プラグ検出回路
８，９  アンテナ
１０，１２  アンテナ伸縮状態検出回路
【図１】
0003815133.tif 000002
【図２】
0003815133.tif 000003
【図３】
0003815133.tif 000004
【図４】
0003815133.tif 000005
【図５】
0003815133.tif 000006